(57)【要約】【課題】  カラオケ店舗にて歌唱映像などを録画し、公開サーバ装置にて広く一般に公開してダウンロードサービスを提供する際、カラオケ店舗に対する対価の集計を容易にする。【解決手段】  本発明のカラオケホスト装置１００は、利用者により録画された録画映像と、それに付された設置情報とをカラオケ録画装置４００から受信する受信処理と、受信した録画映像を公開サーバ装置１０２へ送信する公開処理と、公開サーバ装置１０２から録画映像のダウンロード情報を収集する収集処理と、ダウンロード情報と録画映像の設置情報に基づいて、カラオケ録画装置４００が設置される店舗毎の店舗還元情報を集計出力する集計処理とを可能とすることを特徴としている。【選択図】      図２２
2010008870.tif 000002
【特許請求の範囲】
【請求項１】
カラオケ録画装置、及び、公開サーバ装置に通信網を介して接続されるカラオケホスト装置であって、
利用者により録画された録画映像と、それに付された設置情報とをカラオケ録画装置から受信する受信処理と、
受信した録画映像を公開サーバ装置へ送信する公開処理と、
公開サーバ装置から録画映像のダウンロード情報を収集する収集処理と、
ダウンロード情報と録画映像の設置情報に基づいて、カラオケ録画装置が設置される店舗毎の店舗還元情報を集計出力する集計処理とを可能とする
カラオケホスト装置。
【請求項２】
設置情報は、店舗を示す店舗ＩＤである
請求項１に記載のカラオケホスト装置。
【請求項３】
設置情報は、カラオケ録画装置ＩＤであって、
集計処理は、カラオケ録画装置ＩＤと店舗情報を対応付けた店舗テーブルに基づいて店舗毎の店舗還元金情報を集計出力する
請求項１に記載のカラオケホスト装置。
【請求項４】
集計処理は、店舗毎に設定された還元率に基づいて店舗還元情報を集計出力する
請求項１乃至請求項３のいずれか１つに記載のカラオケホスト装置。
【請求項５】
受信処理で受信する録画映像には、録画した利用者の利用者ＩＤが付され、
集計処理は、ダウンロード情報と録画映像の利用者ＩＤに基づいて、利用者毎の利用者還元情報を集計出力する
請求項１乃至請求項４のいずれか１つに記載のカラオケホスト装置。
【請求項６】
請求項１乃至請求項５のいずれか１つに記載のカラオケホスト装置と、
それに通信網を介して接続されるカラオケ録画装置とを備える
カラオケシステム。
【発明の詳細な説明】
【技術分野】
【０００１】
本発明は、カラオケボックスや飲食店などに設置されたカラオケ録画装置から通信網を介して取得したカラオケ映像を各種方面へ公開可能とするカラオケホスト装置に関する。
【背景技術】
【０００２】
従来、カラオケボックスや飲食店等において、演奏に合わせて歌唱を楽しむカラオケ装置では、自宅での練習、あるいは他人に聞かせることを目的として歌唱した楽曲を記録媒体に録音して持ち帰るサービスが提供されている。また、音声のみならず歌唱している様子をビデオカメラで録画して持ち帰るサービスもある。現在では、インターネットなどによる通信網のインフラの整備に伴い、記録媒体を利用した歌唱音声、歌唱映像の配布に加え、通信網を介して歌唱音声、歌唱映像を伝送する各種サービスもみられる。
【０００３】
このような通信網を利用したサービスとして、特許文献１には、カラオケ装置から演奏中の歌唱者の音声および映像の記録情報をホスト装置に通信回線を介してアップロードすると共に、ホスト装置から、要求のあったカラオケ装置へ記録情報を配信することのできる通信カラオケシステムが記載されている。
【０００４】
また、特許文献２には、ブロードバンド化された通信カラオケシステムを活用したカラオケ付加価値サービスとして、利用者の歌唱を録音した歌唱録音作品を事業者側にて管理する所定のコンピュータに送信し、コンピュータ側で受託した歌唱録音作品を適宜に活用するサービス（録音作品受託サービス）について記載されている。この録音作品受託サービスとしては、利用者から受託した録音作品を専門の審査員に転送して添削してもらうカラオケ通信教習方法があげられている。
【特許文献１】特開２００３−３４５３６８号公報
【特許文献２】特開２００５−２４１７４３号公報
【発明の開示】
【発明が解決しようとする課題】
【０００５】
従来、インターネットによる通信網の発達に伴い、動画像を含む各種コンテンツをＰＣなどに配信するサービスが行われている。近年では、携帯電話などの携帯情報端末においても、通信速度の高速化、パケット料金の定額化に伴い、携帯着信音などの音声情報のみに留まらず、容量の大きい動画情報を配信する動画配信サービスも開始されている。
【０００６】
このような通信環境が整った状況において、特許文献１、特許文献２において開示するカラオケ録画映像についても、各種サーバ装置を介して広く一般に公開してダウンロードさせるサービスを行うことも検討できる。しかしながら、このようなダウンロードサービスを提供する場合には、録画映像のダウンロード管理は、サーバ装置において行われることとなるため、カラオケ店舗側では、録画装置を設置してサービスを提供しているにもかかわらず、ダウンロードサービスで得られた収益の恩恵を得ることができない。
【課題を解決するための手段】
【０００７】
本発明は、このような問題や不都合を解決するために提案されたもので、カラオケ録画装置を設置するカラオケボックスや飲食店などのカラオケ店舗に対し、公開サーバ装置にてダウンロードされた録画映像に関する対価を集計出力することのできるカラオケホスト装置、並びに、カラオケシステムを提案するものである。
【０００８】
そのため、請求項１に係るカラオケホスト装置は、カラオケ録画装置、及び、公開サー
バ装置に通信網を介して接続されるカラオケホスト装置であって、利用者により録画された録画映像と、それに付された設置情報とをカラオケ録画装置から受信する受信処理と、受信した録画映像を公開サーバ装置へ送信する公開処理と、公開サーバ装置から録画映像のダウンロード情報を収集する収集処理と、ダウンロード情報と録画映像の設置情報に基づいて、カラオケ録画装置が設置される店舗毎の店舗還元情報を集計出力する集計処理とを可能とすることを特徴とするものである。
【０００９】
さらに、請求項２に係るカラオケホスト装置では、請求項１に記載のカラオケホスト装置において、設置情報は、店舗を示す店舗ＩＤであることを特徴とするものである。
【００１０】
さらに、請求項３に係るカラオケホスト装置では、請求項１に記載のカラオケホスト装置において、設置情報は、カラオケ録画装置ＩＤであって、集計処理は、カラオケ録画装置ＩＤと店舗情報を対応付けた店舗テーブルに基づいて店舗毎の店舗還元金情報を集計出力することを特徴とするものである。
【００１１】
さらに、請求項４に係るカラオケホスト装置では、請求項１乃至請求項３のいずれか１つに記載のカラオケホスト装置において、集計処理は、店舗毎に設定された還元率に基づいて店舗還元情報を集計出力することを特徴とするものである。
【００１２】
さらに、請求項５に係るカラオケホスト装置では、請求項１乃至請求項４のいずれか１つに記載のカラオケホスト装置において、受信処理で受信する録画映像には、録画した利用者の利用者ＩＤが付され、集計処理では、ダウンロード情報と録画映像の録画映像の利用者ＩＤに基づいて、利用者毎の利用者還元情報を集計出力することを特徴とするものである。
【００１３】
また、請求項６に係るカラオケシステムは、請求項１乃至請求項５のいずれか１つに記載のカラオケホスト装置と、それに通信網を介して接続されるカラオケ録画装置とを備えることを特徴とするものである。
【発明の効果】
【００１４】
本発明によれば、携帯サイトなどの公開サーバ装置によるダウンロードサービスを行う際、カラオケホスト装置において、カラオケ録画装置を設置する店舗に対する店舗還元情報を集計出力することができる。カラオケ業者側では、この店舗還元情報に基づき各店舗に対してキャッシュバックを行うなどのサービスを提供することが可能となり、店舗自身の収益増加につながり、カラオケ録画装置を設置する動機付けになる。
【００１５】
さらに、本発明によれば、録画映像を作成、アップロードした利用者に対しても利用者還元情報を集計出力することができるため、この利用者還元情報を利用したサービスを提供することが可能となり、利用者がカラオケ録画装置を利用して携帯情報サイトなどの公開サーバ装置に公開する動機付けになる。
【発明を実施するための最良の形態】
【００１６】
以下、本発明の実施形態を図面を参照しながら説明を行う。図１は、本発明の実施形態に係るカラオケシステムを示した図であり、特に、１店舗に複数のコマンダ、いわゆるカラオケ演奏装置を設置して営業を行うカラオケボックスとしての一実施形態を示した図である。
【００１７】
図１において、５０は通信網、６０はルータ、７０は無線アクセスポイント、１００はホスト装置、２００はリモコン装置、３００はコマンダ、４００は録画装置をそれぞれ示している。本実施形態において、カラオケ演奏装置としての各コマンダ３００はｒｏｏｍ
１〜ｒｏｏｍ３毎に１台ずつ設置され、リモコン装置２００からリクエストされた楽曲の演奏を行う。
【００１８】
例えば、コマンダ１が設置されるｒｏｏｍ１には１台のリモコン装置１と、１台の録画装置１が配置される。コマンダ１は、リモコン装置１と対応付けられており、ＬＡＮを介してリモコン装置１からの楽曲リクエストを受け付けることができる。コマンダ２が設置されるｒｏｏｍ２は、ｒｏｏｍ１と同様の配置であって、コマンダ２、リモコン装置２、録画装置２が設置されている。また、コマンダ３が設置されたｒｏｏｍ３は２台のリモコン装置３−１、３−２が配置され、コマンダ３はリモコン装置３−１、３−２の両方に対応付けられており、どちらからも楽曲リクエストを受け付けることができる。なお、各コマンダ３００のフロントパネルなどに設けられた入力手段からも楽曲のリクエストを行うことができる。
【００１９】
各コマンダ３００は、ＬＡＮによってルータ６０と接続されており、インターネット回線などの通信網５０を介してホスト装置１００と通信接続される。このように通信接続されることで各コマンダ３００は、ホスト装置１００から楽曲配信や、プログラム配信を受けることができると共に、ホスト装置１００に対して利用履歴など各種の情報を送信することができる。
【００２０】
ホスト装置１００は、楽曲配信、プログラム配信や、各種情報を受信するといったコマンダ３００に対する遠隔管理を行うと共に、録画装置４００から受信した録画映像を保管し、利用者の携帯情報端末に配信する機能を有する。この他、受信した録画映像を、本発明における公開サーバ装置としての動画投稿サイト１０１や、携帯サイト１０２、１０２’などに通信網５０を介して広く一般に公開する機能も備えている。
【００２１】
無線アクセスポイント７０は、各コマンダ３００が接続されるＬＡＮ上に接続されており、各リモコン装置２００と無線通信を行うことを可能としている。このように各リモコン装置２００がＬＡＮに接続されることで、コマンダ３００と同様、通信回線を介してホスト装置１００と通信を行うことができると共に、予め対応付けられているコマンダ３００に対して楽曲をリクエストすることができる。
【００２２】
ｒｏｏｍ１、ｒｏｏｍ２には、本願発明のカラオケ録画装置の実施形態である録画装置４００が設置される。録画装置４００はコマンダ３００、そして、ＬＡＮに接続される。このように接続することでコマンダ３００が出力するカラオケ映像、カラオケ音声を録画することができる。また、ＬＡＮに接続されることでコマンダ３００との各種制御信号の送受信、並びに、通信網５０を介したホスト装置１００、各種サーバ装置などとの通信を可能としている。
【００２３】
本実施形態では、ＬＡＮを介して複数のコマンダ３００が接続された、いわゆるカラオケボックスでの営業形態を説明したが、スナックなどのナイト店においては、例えば、ｒｏｏｍ１のようなコマンダ３００、録画装置４００、リモコン装置２００が設置された構成が採用され、場合によっては、ｒｏｏｍ３のように複数のリモコン装置２００を設置されることとなる。
【００２４】
次に、カラオケ演奏装置としてのコマンダ３００についてより詳しく説明する。図２はコマンダ３００及びそれに付属する各種周辺機器を示す図である。３０１はコマンダ制御手段、３０２はコマンダ通信手段、３０３はフロントパネル表示手段、３０４は表示制御手段、３０５はコマンダ記憶手段、３０６はコマンダ入力手段、３０７はコマンダインタフェース、３０８は音源、３０９はミキシング手段、５０１はアンプ、５０２はスピーカー、５０３はマイクロフォン、５０４はディスプレイをそれぞれ示している。
【００２５】
コマンダ制御手段３０１は、ＣＰＵ、ＲＯＭ、ＲＡＭなどを含んで構成され、コマンダ３００全体の制御を行う。コマンダ記憶手段３０５にはハードディスク、フラッシュメモリドライブなどの大容量記憶手段が用いられ、ホスト装置１００から受信した楽曲データ、映像データやカラオケ演奏以外の機能を実行させるプログラムなどのデータが記憶される。
【００２６】
コマンダ通信手段３０２は、周知規格の有線ＬＡＮが採用され、リモコン装置２００との間での各種制御命令の送受信や、楽曲データ、映像データ、各種プログラムをホスト装置１００から受信するために用いられる。また、同じＬＡＮ上に配置された録画装置４００など、その他の機器に接続することも可能であって、他の機器との間で情報の送受信が可能とされる。コマンダ入力手段３０６は、コマンダ３００のフロントパネルなどに設けられた各種スイッチ機能であり、予約選曲、キーコントロール、音量調整など各種機能を手動設定が可能となっている。
【００２７】
表示制御手段３０４は、カラオケを行う際、背景映像と歌詞映像を合成したカラオケ映像や、その他各種映像をディスプレイ５０４に表示するための表示制御を行う。また、録画装置４００に対してカラオケ映像を外部出力する。本実施形態では、この外部出力としてのカラオケ映像として背景映像と歌詞映像が重畳されたものを用いることとしたが、この実施形態に限ることなく、例えば、適宜制御にてカラオケ映像の内容を、背景映像のみ、歌詞映像のみ、背景映像と歌詞映像を合成したものといったように録画装置４００に選択出力可能としてもよい。また、背景映像と歌詞映像を別々の外部出力として録画装置４００に提供してもよい。この場合、録画装置４００にて録画する映像が選択できるように構成される。
【００２８】
音源３０８は、ＭＩＤＩ、ＰＣＭ、ＭＰＥＧといった形式の楽曲データに基づいて楽音信号を形成する。ミキシング手段３０９は、音源３０８が形成した複数の楽音とマイクロフォン５０３、５０３’から入力される歌唱者の歌唱音声を適宜なバランスで混合する。このミキシング手段３０９で混合されたカラオケ音声はアンプ５０１に出力されてスピーカ５０２から放音出力されることとなる。また、本実施形態では、スピーカ５０１への出力以外に、別途アンプ５０１のＲＥＣＯＵＴ端子からカラオケ音声を取り出して録画装置４００において録音の対象としている。この実施形態に限ることなく、録画装置４００への出力をミキシング手段３０９から取り出し、適宜制御にて楽音のみ、または、楽音と歌唱音声がミキシングされたものに切り換え出力可能なようにしてもよい。または、録画装置４００に対して、楽音と歌唱音声を別々に提供し、録画装置側で録音の対象を選択できるように構成することでも構わない。
【００２９】
コマンダインタフェース３０７は、演奏の開始、終了に伴ったプレイ信号を出力する。このプレイ信号は、本来、コマンダが接続されるコインボックスを制御するための信号であり、コマンダが楽曲を演奏している最中は５Ｖの電圧を出力し、演奏していないときは０Ｖの電圧を出力する。接続されたコインボックスは、このプレイ信号を監視して課金制御を行うこととなるが、本実施形態では、このプレイ信号を利用して録画装置４００の録画開始、終了の制御が行われる。
【００３０】
以上、コマンダ３００の主要構成について説明したが、この他、従来のリモコン装置で使用されるＩＲ信号を送受信可能とするＩＲ通信手段を設け、ＩＲ信号を利用するリモコン装置からの楽曲リクエストにも対応できる構成としてもよい。
【００３１】
次に、カラオケ録画装置としての録画装置４００についてより詳しく説明する。図３は録画装置４００及びそれに付属する各種周辺機器を示す図である。４０１は制御手段、４
０２は通信手段、４０３は表示制御手段、４０４は記憶手段、４０５はＤＶＤドライブ、４０６はＵＳＢインタフェース、４０７は取込手段、５０７は表示手段５０５、タッチ式センサ５０７にて構成されるタッチパネル、５０８はカメラをそれぞれ示している。
【００３２】
制御手段４０１は、ＣＰＵ、ＲＯＭ、ＲＡＭなどを含んで構成され、録画装置４００全体の制御を行う。記憶手段４０４にはハードディスク、フラッシュメモリドライブなどの大容量記憶手段が用いられ、各種制御プログラム、合成用映像、記録禁止楽曲の楽曲ＩＤを記載した禁止リスト等を記憶している。また、録画処理で得られた録画ファイルについてもこの記憶手段４０４に記憶される。
【００３３】
通信手段４０２は、周知規格の有線ＬＡＮなどが採用され、コマンダ３００と同様、通信網を介してホスト装置１００との各種情報の送受信を可能としている。また、対応付けられたコマンダ３００とも互いに通信可能であって、コマンダ３００で演奏している楽曲情報や、コマンダ３００に予約されている楽曲を示す予約リストなど、コマンダ３００で管理している各種情報を取得することを可能としている。
【００３４】
表示制御手段４０３は、制御手段４０１からの制御に基づいて表示手段５０５に各種の表示を行う。本実施形態では、主として録画処理や出力処理の利用者に対する案内表示が行われる。
【００３５】
入力手段としてのタッチ式センサ５０６は、利用者の指やスタイラスなどでタッチすることによる入力操作が可能である。このタッチ式センサ５０６による入力を可能とするため、表示手段５０５にはタッチ式センサ５０６に対する制御と連動した表示画像が表示されるようにプログラムされる。このタッチ式センサ５０６と表示手段５０５により、いわゆるタッチパネル５０７が構成される。なお、本実施形態では、入力手段としてタッチ式センサ５０６を用いた構成を示したが、入力手段はこれに限定されるものではなく、例えば、キーボード、カーソルキーなどの機械的なものに代えてもよい。また、これらをタッチ式センサ２０６と併せて用いても構わない。
【００３６】
取込手段４０７は、コマンダ３００からの各種信号を受信するインタフェースであって、本実施形態では、コマンダ３００からカラオケ映像と、カラオケ音声を受信して録画装置４００に取り込む。また、コマンダ３００からプレイ信号を受信し、録画装置４００は、このプレイ信号を監視することで、楽曲の開始、終了が判断できるようになっている。このプレイ信号を利用することで、従来からのコマンダ３００が利用でき、新たなハードを追加することなく楽曲の開始、終了のタイミングが判断できる。このように、本実施形態では、楽曲の開始、終了のタイミング判断に、コマンダ３００からのプレイ信号を利用することとしたが、これに限定されるものではなく、録画装置４００はコマンダ３００とを接続するＬＡＮを介した制御信号に基づいて楽曲の開始、終了、更にはどの楽曲が演奏されるのかを判断するようにしてもよい。
【００３７】
ＵＳＢインタフェース４０６は、各種外部機器を複数接続可能とするインタフェースである。本実施形態では、このＵＳＢインタフェース４０６を介して動画撮影可能なカメラ５０８が接続される。カメラ５０８以外にも携帯型ＡＶプレーヤや、携帯型ゲーム装置など、それ自体で映像、音声を再生可能な携帯情報端末を接続できる。
【００３８】
ＤＶＤドライブ４０５は、録画されたファイルを記録媒体としてのＤＶＤに書き込むために用いられる書込手段である。本実施形態では、ＤＶＤの所定記録領域に識別子を入れた専用ＤＶＤのみ扱うことを可能としている。利用者は、ＤＶＤに録画する際は、店舗にて予め専用ＤＶＤを購入し、ＤＶＤドライブ４０５にセットして録画ファイルを書き込ませる。また、識別子を複数種類設とし、この識別子の種類毎に録画ファイルの書き込み数
、録画ファイルの種類などを制限してもよい。
【００３９】
なお、本実施形態では、録画装置４００は、カラオケ演奏装置としてのコマンダ３００と別体構成としたが、これらを一体構成することで、カラオケ録画装置をカラオケ演奏装置の一機能として実現しても構わない。その際、録画装置４００における各種構成はコマンダ３００と兼用されることとなる。例えば、録画装置４００における制御手段４０１、通信手段４０２、記憶手段４０４などは、コマンダ３００におけるコマンダ制御手段３０１、コマンダ通信手段３０２、コマンダ記憶手段３０５などと兼用される。また、録画装置４００における表示手段５０５、タッチ式センサ５０６といった入力インタフェースは、リモコン装置２００にて実現してもよい。
【００４０】
以上、本発明が利用するカラオケシステム、コマンダ、録画装置の構成について説明を行ったが、次に、録画装置での各種処理について詳しく説明を行う。図４、図５は、本実施形態における録画装置において利用可能とする各種録画モードを説明する図である。図４は、録画装置の利用開始時に利用者に対しタッチパネル５０７により提示する録画モード選択画面であり、図５は、本実施形態における各録画モードにおいて、録音、録画の対象内容を示した図である。
【００４１】
図４に示すように、本実施形態においては、自分撮、カラオケ撮、芸能コンテンツの３つの録画モードが選択可能となっている。録画装置の利用開始時には、タッチパネル５０７上にこの画面を利用者に提示して各モードの指定を受け付ける。各録画モードの録音、録画内容は、本実施形態においては、図５（Ａ）に示したものとなる。
【００４２】
まず、自分撮モードにおいては、カメラ映像を録画の対象とし、カラオケ音声を録音の対象とする。このような録音、録画の内容によれば、カメラにて撮影した歌唱者の動画と楽音に伴った歌唱者の歌声を記録することができる。
【００４３】
次に、カラオケ撮モードにおいては、カラオケ映像を録画の対象とし、カラオケ音声を録音の対象とする。このような録音、録画によれば、通常、カラオケにおいて利用する楽音と歌詞映像と背景映像で構成されたカラオケ映像を記録することができ、これを持ち帰った利用者は自宅などで歌唱の練習を行うことができる。図２、図３で説明した実施形態では、利用者が歌唱を行った場合、歌唱音声がカラオケ音声に含まれてしまい歌唱の練習においては不都合となってしまうが、後に説明するようにカラオケ音声を楽音と歌唱音声で分けておくことで楽音のみを記録する形態も可能である。
【００４４】
次に、芸能コンテンツにおいては、カメラ映像と合成用映像を録画の対象とし、カラオケ音声を録音の対象とする。カメラ映像と合成用映像は合成された上で録画されることとなるが、合成用映像を背景にカメラ映像を前景として合成してもよいし、カメラ映像を背景に合成用映像を前景として合成してもよい。どちらの場合においても前景となる映像に対しては、例えば、ブルーバックを利用したクロマキー処理などで合成する部分を切り抜く処理が必要となる。このような芸能コンテンツでは、合成用映像として、歌手やお笑い芸人などといった芸能人を用意することで、利用者は芸能人と一緒に撮影された映像を楽しむことが可能となる。特に、歌手を合成用映像とする場合には映像とカラオケ楽曲を対応付けておくことで、カラオケ楽曲にマッチした合成用映像を付与することができる。対応付けは、歌手対応であってもよいし、楽曲対応としてもよい。
【００４５】
以上、図２のコマンダ、図３の録画装置において、カラオケ映像、カラオケ音声それぞれ１出力とした場合について説明したが、カラオケ映像、カラオケ音声の内容を図５（Ｂ）に示すように細分化しても構わない。この実施形態は、図２、図３において補足説明をしたようにコマンダ３００からの映像、音声出力、あるいは、録画装置４００における映
像、音声入力を適宜制御することで実現可能となる。
【００４６】
図５（Ｂ）に示すようにカラオケ映像は、背景映像と歌詞映像に分けられ、カラオケ音声は楽音と歌唱音声に分けられる。このように構成することで、映像については、各モードにおいて歌詞映像を付与するか、しないかの設定を行うことが可能となると共に、音声については、特に、カラオケ撮モードにおいて歌唱音声を含めるか否かの設定が可能となる。これらの設定はあらかじめ決められたものとしてもよいし、図４の録画モード選択などにおいて利用者が設定できるようにしてもよい。
【００４７】
次に本発明の実施形態となる録画処理、変換処理について図６、図７を用いて詳しく説明を行う。図６は、本発明の実施形態である自分撮モードにおける録画待機中画面を示した図であり、図７は、１楽曲を録画する際の録画装置とコマンダの処理を示した図である。
【００４８】
図６は、録画装置４００の利用開始後、図４において自分撮モードを選択した場合の録画待機中画面を示した例である。画面中央にはカメラ５０８で撮影しているカメラ映像が動画像としてリアルタイムに表示され、利用者はこの映像により画角を確認することができ、画角内で所望の位置に収まるように自分の位置を決める。
【００４９】
また、画面下方には「試聴」、「投稿」、「携帯サイト」、「ＤＶＤを作る」、「終了」といった各種ボタンが配置され、これらを利用者が操作することでボタンに応じた処理がなされる。録画ファイルが作成された後「試聴」ボタンにタッチすると、それまでに録画したカラオケ楽曲の一覧が表示され、選択された録画ファイルの試聴を同画面で行うことができる。また、録画ファイルが作成された後、「投稿」、「携帯サイト」、「ＤＶＤを作る」といった各ボタンにタッチすることで、それぞれに応じた出力処理を開始する。この出力処理については後述する。
【００５０】
図６の画面でカメラの画角に収まるように自分の位置を決めた後、コマンダ３００側でカラオケ楽曲の再生が開始されると、図７に示すコマンダ３００と録画装置４００間の処理にて１楽曲の録画が行われる。まず、コマンダ３００側にてカラオケ楽曲の演奏が開始されるとプレイ信号が０Ｖから５Ｖに立ち上がる。これを検知した録画装置４００側は、演奏される楽曲情報をコマンダ３００に通信手段４０２を介して要求する。この要求に応えコマンダ３００は、録画装置４００に楽曲情報をコマンダ通信手段３０２を介して返信する。この楽曲情報は、録画ファイルのインデックスとして一緒に記録されると共に、録画禁止楽曲か否かの判断にも用いられる情報であり、楽曲ＩＤ、曲名、歌手名などを含んで構成されている。
【００５１】
楽曲情報を受信した録画装置４００は、記憶手段４０４に記憶している禁止リストを参照して録音、録画が禁止されている楽曲か否かを判断する。この禁止リストは録画装置４００の記憶手段４０４に記憶されているものであり、録音、禁止されている楽曲ＩＤを記述したものである。また、禁止リストは通信手段４０２により更新することが可能であって、著作権などの契約内容の変更にともなって、ホスト装置１００側から変更することができる。
【００５２】
禁止楽曲であると判断された場合には、当該楽曲の録音、録画を禁止すると共に、その旨を表示手段５０５に表示する。このように表示することで利用者は、当該楽曲が録音、録画できない楽曲であることを認知できる。一方、禁止楽曲でない場合には、録画モードに応じた内容にて録音、録画を開始する。このように、コマンダ３００側でカラオケ楽曲の再生が開始されてから、録画装置４００にて録画開始されるまでいくつかの処理が行われるが、これらの処理はごく短時間で終了するため、録画開始遅延による録画ファイルの
頭切れの心配はない。カラオケ楽曲の再生が完了すると、プレイ信号は５Ｖから０Ｖとなり、このプレイ信号の変化を検知した録画装置４００は録画を停止する。
【００５３】
以上、説明した処理により１楽曲単位での録画処理について説明したが、次に、図８を用いて、本実施形態における録画装置の録画開始から出力するまでの一連の処理を説明する。
【００５４】
図８は、録画処理、変換処理、出力処理の一連の流れとなるタイムチャートを示した図であり、上からプレイ信号、録画処理、変換処理、利用者の操作を時系列で示している。プレイ信号は、コマンダ３００におけるカラオケ楽曲の演奏状況に対応するものであって、信号の立ち上がっている部分（５Ｖ）は、カラオケ楽曲が演奏されていることを、信号が立ち下がる部分（０Ｖ）は、カラオケ楽曲の曲間を示したものとなっている。
【００５５】
図８では、利用者が録画装置４００を利用開始して、１０曲のカラオケ楽曲を演奏した後、出力処理を行うこととしているが、この例に限らず、出力処理は１曲以上の録画処理が完了した後は、いつでも実行することが可能である。まず、利用者の操作により録画装置４００の利用が開始されると、図４に示した録画モード選択画面においてどの録画モードで録画を行うかが利用者に問われる。図８では、利用開始時に自分撮が指定された状況を示している。なお、本実施形態においては、録画モードは、利用者による変更が行われるまでは、次のカラオケ楽曲となっても維持されるように構成されている。また、利用者による録画モードの変更は、タッチパネル５０７からいつでも受け付けできるように構成されており、受け付けた録画モードの変更は次のカラオケ楽曲から反映されることとなる。このような構成により、利用者はいつでも録画モードの変更が可能となると共に、演奏途中で録画モードが変更されて録画されることがないため違和感のない録画が可能となる。
【００５６】
このように、録画モードとして自分撮が指定された上で、コマンダ３００による１曲目のカラオケ楽曲Ａの演奏が開始されると、図７にて説明した処理に従って録画処理が開始され、楽曲Ａに対応する録画ファイルＡが適宜フォーマットにて作成されて記憶手段４０４に記憶される。録画ファイルの作成はハードウェア、ソフトウェアのどちらで行っても構わない。本実施形態では、この録画ファイルＡのフォーマットをＭＰＥＧ２形式とし、後の出力処理において、ＤＶＤへの出力にそのまま利用できるものとなっている。この形態に限ることなく、録画処理での録画ファイル作成フォーマットは必要に応じて適宜変更可能である。また、作成した録画ファイルには、コマンダ３００から取得した各種楽曲情報、録画モードを示す情報、録画日時などがインデックスとして付与される。
【００５７】
１曲目のカラオケ楽曲Ａの演奏が終了すると共に、同楽曲の録画処理が終了して録画ファイルＡが完成すると、その直後、録画ファイルＡに対する変換処理が開始される。この処理は、後の出力処理において指定可能となる出力先に対応した各種フォーマットへの変換であり、本実施例では、各種携帯電話や、各種投稿サイトに適したフォーマットに順次変換されて記憶手段４０４に格納される。本実施形態においてはａ〜ｆの添字が付された６種類のファイルに変換され、楽曲Ａについては録画ファイルＡａ〜Ａｆに順次変換される。添字ａ〜ｄは携帯電話用の動画フォーマットであることを示し、各携帯キャリア会社、あるいは、携帯電話の機種で使用される動画フォーマットとなる。また、添字ｅ、ｆは投稿サイト用に変換された動画フォーマットとなる。なお、変換された各録画ファイルにも楽曲情報、録画モードを示す情報、録画日時などのインデックスは引き継がれる。
【００５８】
以上の１曲目のカラオケ楽曲Ａに対する録画処理、変換処理にて、出力先としてＤＶＤ、各種携帯電話、各種投稿サイト用の録画ファイルＡ、Ａａ〜Ａｆが記憶手段４０４に格納される。このように、録画処理の直後に変換処理を行うため、後の出力処理やホスト装
置１００側にて更なる変換を行う必要はなく、出力先に応じたフォーマットの動画ファイルを選択出力するのみでよい。なお、出力先としては、これらに限られるものではなく、例えば、録画装置４００のＵＳＢインタフェースを介して接続される携帯型ＡＶ再生器などの各種外部機器を設けてもよい。
【００５９】
２曲目のカラオケ楽曲Ｂは禁止楽曲であるため、図７に示した処理にしたがって録画処理は禁止される。３曲目のカラオケ楽曲Ｃは、１曲目に引き続き自分撮モードにて録画処理が行われることとなるが、図に示すように楽曲Ｃの演奏中に利用者操作によるカラオケ撮モードへの変更があったとしても、カラオケ楽曲Ｃについては演奏が終了するまで自分撮モードが維持される。カラオケ撮モードへの変更は次曲のカラオケ楽曲Ｄから反映される。このように構成することで、利用者はいつでも録画モードを変更することができると共に、楽曲単位で録画モードが変更されるため違和感のない録画ファイル作成が可能となる。４曲目のカラオケ楽曲Ｄは、３曲目途中で変更された録画モードの変更が反映され、カラオケ撮モードに変更されて録画処理が実行される。
【００６０】
１０曲目のカラオケ楽曲Ｊの演奏終了後、図６の画面下方に表示される「投稿」、「携帯サイト」、「ＤＶＤを作る」といったボタンを操作することで出力先が選択されると、各出力先に応じた出力処理が開始される。本実施形態においてこの出力処理は、楽曲演奏終了後としているが、録画処理において少なくとも１つ録画ファイル作成されている状態であるならばそのタイミングを問うものではなく、録画処理、変換処理などと並行して実行しても構わない。
【００６１】
出力処理の詳細については後ほど説明を行うこととするが、ＤＶＤを作る場合には記録媒体としてのＤＶＤへの書き込み処理を、動画投稿サイト、携帯サイトへの公開を行う場合には、ホスト装置１００を含む各種ホスト装置への送信を行いその処理が完了する。
【００６２】
出力処理のための操作を終えた利用者は、終了操作を行い録画装置４００の利用を終了させる。この時点で、変換処理、出力処理が完了している場合には、記憶手段４０４に記憶した各種録画ファイルを消去し、完了していない場合には、処理を完了してから記憶手段４０４に記憶した各種録画ファイルを消去する。
【００６３】
以上、録画装置４００における録画処理、変換処理、出力処理の一連の流れについて説明を行ったが、本実施形態では、録画処理にて作成した録画ファイルを出力処理での出力先に応じたフォーマットの録画ファイルに予め変換しておくことにより、出力処理では利用者が選択した出力先に応じた録画ファイルを即時に提供することが可能となる。
【００６４】
では、次に、出力処理について図９、図１０を用いて説明を行う。図９は出力処理のフローを示した図であり、図１０は出力処理における動画選択画面を示した図である。図６の画面下方に表示される「投稿」、「携帯サイト」、「ＤＶＤを作る」といったボタンを操作することで出力先が選択されると、それぞれに応じた出力処理を開始する。これらの処理はフローからも分かるように複数回実行することが可能であり、例えば、「ＤＶＤを作る」処理を行った後、「携帯サイト」に公開する処理を行うことや、複数枚ＤＶＤを作ること等が可能となっている。
【００６５】
Ｓ１１６にて「ＤＶＤを作る」が選択された場合には、Ｓ１１７にて利用者によりＤＶＤがセットされるのを待つ。このＤＶＤは録画装置４００に専用のものであって、予めＤＶＤ製造業者のみが書き込み可能な領域に識別子が書き込まれている。利用者は、この専用のＤＶＤを店舗にて予め購入し、ＤＶＤドライブ４０５にセットする。録画装置４００では、識別子に基づいて専用のＤＶＤか否かを判断し、専用のものであれば次の処理に進み、専用のものでなければＤＶＤを排出すると共に、利用者に対して使用できない旨を表
示する。
【００６６】
ＤＶＤがセットされた録画装置４００は、図１０に示す動画選択画面にて、利用者からＤＶＤに記録する録画映像の選択を受け付ける（Ｓ１１８）。動画選択画面には、録画された５つの録画映像が示されており、それぞれについて、曲名、歌手名、録画日時、録画モードが表示されている。画面右に表示されている「自」、「カ」、「芸」は、それぞれ、自分撮、カラオケ撮、芸能コンテンツといった録画モードにて録画されたことを示している。また、この画面において各録画映像にタッチすることで対応する録画映像を試聴、あるいは、プレビューすることが可能となっている。
【００６７】
Ｓ１１９では、利用者により図１０の画面にて記録する録画映像が選択される。画面左に示される丸印は、記録のために選択された録画映像であることを示したものである。図１０では１、３、５番目の録画映像が選択された状態を示している。選択後、画面下方に表示される「ＯＫ」ボタンがタッチされると、選択された録画映像に対応する録画ファイルについて、次のＳ１２３にてＤＶＤへの書き込みが開始される。
【００６８】
Ｓ１２０では、Ｓ１２１で選択された録画映像に対応する録画ファイルについて、ＤＶＤに対応したフォーマットにて書き込みが行われる。図８で説明したように本実施形態では、録画処理にて作成した添字なしのものがＤＶＤ用フォーマットの録画ファイルとして既に作成されているため、Ｓ１１９で選択された録画映像について、このフォーマットの録画ファイルを記録手段４０４から読み出して書き込みを行う。書き込みが終了するとＤＶＤを排出すると共に、表示手段５０５にＤＶＤへの出力が完了したことを表示する。
【００６９】
次に、Ｓ１０９にて「携帯サイト」への公開が選択された場合には、Ｓ１１０、Ｓ１１１にて携帯サイトに公開する録画映像の選択を受け付ける。ここでの処理は、ＤＶＤ作成と同様、図１０に示す動画選択画面により行われる。Ｓ１１２では、携帯サイトに公開するにあたり必要となる各種利用者情報の入力を受け付ける。この利用者情報としては、予め会員登録されているのであれば、利用者ＩＤとパスワードの入力を受け付け、サーバ装置側で管理する各種会員情報を用いた公開が行われる。また、利用者情報として、ニックネーム、住所、メールアドレス、口座情報などの還元先などの情報をこの処理にて受け付けてもよいし、受け付けた情報にて会員登録を行ってもよい。
【００７０】
入力が完了すると、選択された録画映像、利用者情報を利用者に確認させる（Ｓ１１３）。入力情報に間違いなければ利用者は入力を確定させる。Ｓ１１４では、確定した情報に基づいて、録画映像をホスト装置１００にアップロードする。本実施形態では、アップロードの後、携帯サイトにて公開して他の携帯情報端末へのダウンロードサービスを行うため、携帯用として作成した全てのフォーマットの録画ファイル（添字ａ〜ｄ）をアップロードすることとなるが、ＤＶＤ用、投稿サイト用フォーマットの録画ファイルについても一緒にアップロードしておき、通信網を利用した各種サービスに対応できるようにしてもよい。
【００７１】
このように、本実施形態では、携帯サイト、動画投稿サイトなどの公開サーバ装置で用いるフォーマットを録画装置側にて予め変換しておくため、公開サーバ装置側でフォーマット変換を行う必要がなく、処理の負担を軽減できる。なお、カラオケサーバ装置１００側や、公開サーバ装置１０１、１０２側にてフォーマット変換を行うこととしても構わない。
【００７２】
録画映像のアップロードが完了した録画装置４００は、画面にて受付完了の表示を行い出力処理を完了する。画面にはホスト装置にて割り振られた受付番号が記載されており、利用者はこの受付番号にて問い合わせを行うことができる。以上、録画装置４００側にお
けるの出力処理について説明したが、公開処理等については後ほど説明を行う。
【００７３】
次に、Ｓ１０１にて「投稿」が選択された場合には、まず、Ｓ１０２にて利用者は複数の動画投稿サイトの中から投稿するサイトを選択する。Ｓ１０３、Ｓ１０４では投稿する録画映像の選択を受け付ける。ここでの処理は、ＤＶＤ作成、携帯サイトへの公開と同様、図１０に示す動画選択画面により行われる。Ｓ１０４にて選択が行われると、動画投稿を行うにあたって、必要となる各種情報の入力処理に移行する（Ｓ１０５、Ｓ１０６）。入力される各種情報としては、動画投稿サイトに参加するためのメールアドレスなどの各種情報や、ニックネーム、生年月など投稿した人のプロフィールや、イベント参加のための情報などがある。入力が完了すると、メールアドレスを含む各種情報や、動画投稿サイトに投稿する録画映像を確認させる。入力情報に間違いなければ利用者は入力を確定して処理を終える。
【００７４】
Ｓ１０７では、確定した情報に基づいて、録画ファイルを指定された動画投稿サイトにアップロードする。Ｓ１０２で指定した動画投稿サイトに対応するフォーマットの録画ファイルがアップロードされることになる。アップロードされた録画ファイルは、インターネットなどの通信網を介して広く一般に閲覧可能とされる。この動画投稿サイトへの投稿においても、ＤＶＤ用、携帯用、他の動画投稿サイト用のフォーマットでの録画ファイルを、同時にホスト装置１００に送信しておき、通信網を介した後の各種サービスに対応できるようにしておくとよい。
【００７５】
以上、録画装置４００側での出力処理について説明したが、ホスト装置１００にアップロードされた録画映像を携帯情報端末としての携帯電話６００にダウンロードする処理について図１１−図２０を用いて説明する。
【００７６】
図１１は、携帯サイトへの公開を行った場合の、録画装置４００、ホスト装置１００、公開サーバ装置としての携帯サイト１０２、携帯電話６００間での処理を示した図であり、図１２は、図９のＳ１１４にて録画装置４００からホスト装置１００へ送信する１の録画映像に関するアップロード情報の内容を示した図であり、図１３は、ホスト装置１００にて管理する各種店舗情報からなる店舗テーブルであり、図１４は、ホスト装置１００にて管理する各種利用者情報からなる利用者テーブルであり、図１５は、携帯サイト１０２から受信するダウンロード情報の内容を示した図であり、図１６−図２０は、携帯サイト１０２にアクセスした携帯電話６００の画面を示した図である。
【００７７】
録画装置４００にて、携帯サイトへの公開が行われた場合、選択された録画映像に関する情報について、ホスト装置１００へのアップロードが行われる（処理１）。アップロードされる情報としては、図１２に示すように各種フォーマットの録画ファイル、設置情報としての録画装置ＩＤ、利用者ＩＤなどが含まれる。受信したホスト装置１００では、管理のためこれらの情報に録画映像ＩＤを付して記憶する。本実施形態では、設置情報として録画装置４００に予め割り振られている録画装置ＩＤを用いることとしたが、設置時などに録画装置４００に店舗ＩＤを登録しておき、設置情報としてこの店舗ＩＤをアップロードすることとしても構わない。
【００７８】
ホスト装置１００には、図１３に示す店舗テーブル、並びに、図１４に示す会員登録された各種利用者情報からなる利用者テーブルを記憶しており、携帯サイトへの公開や集計処理に利用される。本実施形態では、店舗テーブルには、録画装置ＩＤ、店舗名、店舗住所、ＦＡＸ番号、メールアドレス、還元率、店舗還元情報の明細書出力先などが登録されている。なお、１つの店舗に複数の設置情報が割り当てられているのは、１店舗にて複数の録画装置４００が所有されることを示したものである。また、利用者テーブルには、利用者ＩＤ、ニックネーム、利用者住所、ＦＡＸ番号、メールアドレス、還元率、利用者還
元情報の明細書出力先などが登録されている。
【００７９】
録画映像を受信したホスト装置１００は、録画映像を公開サーバ装置としての携帯サイト１０２に公開する（処理２）。この公開処理では、携帯サイト１０２で利用するフォーマットの録画ファイルに、録画映像ＩＤ、並びに、公開に際して必要となる利用者情報、店舗情報を付して、公開先となる携帯サイト１０２に送信を行う。公開先としての公開サーバ装置は複数であってもよく、携帯サイト１０２に限られるものでもない。例えば、ＰＣサイトなどへの公開であってもよい。
【００８０】
公開サーバ装置としての携帯サイト１０２は、図１６−図２０に示す携帯電話画面にて録画映像の配信を行う。携帯サイト１０２にアクセスした携帯電話６００の画面には、図１６に示す初期画面が表示される。本実施形態では、ダウンロード件数に基づいて録画映像の選択を行う「ダウンロードランキング」、各種検索項目を指定して検索を行う「検索」の２項目が選択可能とされている。
【００８１】
初期画面にて「ダウンロードランキング」を選択した場合には、図１７に示すようにダウンロード件数順に録画映像の内容を示す情報が表示され、利用者は表示される録画映像を選択して「決定」ボタンを選択することで録画映像を決定する。本実施形態では、録画映像の内容として楽曲名、歌手名、録画を行った利用者のニックネームが表示されており、その背景が暗転表示されているもの（図では１位の録画映像）が選択状態となっている。
【００８２】
ダウンロードする録画映像を決定すると、図２０に示す録画映像の詳細情報画面に移動する。この画面には詳細情報として、録画映像中の静止画像、録画モード、楽曲名、歌手名、ニックネーム、録画日時、録画店舗名、ダウンロード価格などが表示され、利用者はこれら情報に基づきダウンロードする録画映像の確認を行う。また、「試聴」ボタンを選択することで、当該録画映像の試聴が可能となっている。これは、映像も含めたプレビューとしてもよい。
【００８３】
「ダウンロード」ボタンが選択されると、携帯サイト１０２は、当該録画映像に関する配信要求（処理３）が行われたと判断し、携帯電話６００に対して課金処理を行う。課金できた場合には、配信要求のあった録画映像に対応する録画ファイルのダウンロードを開始する（処理４）。また、課金処理の終了後には、図１５に示すダウンロード情報をホスト装置１００に通知する。このダウンロード情報には、録画映像ＩＤとダウンロード日時など、どの録画映像がいつダウンロードされたかを示す情報が含まれている。ホスト装置１００は、後の集計処理にて、このダウンロード情報に基づいて各カラオケ店舗、あるいは、各利用者に対する金銭、あるいは、ポイントなどといった還元情報を集計する。
【００８４】
本実施形態では、１回のダウンロードが行われる毎にダウンロード情報をホスト装置１００に通知することとしたが、通知する頻度はこの実施形態に限られるものではない。例えば、複数のダウンロード情報を定期的にまとめて通知するようにしてもよい。
【００８５】
一方、初期画面にて「検索」が選択された場合には、図１８に示す各種検索項目に関する入力画面にて、利用者に入力を促す。入力後、画面上の「検索」ボタンを選択することで、図１９に示す検索結果の画面を表示し、利用者にダウンロードする録画映像を選択させる。図には、歌手名と楽曲名にて検索が行われた例を示したものであり、ダウンロードランキングの画面と同様、背景が暗転した録画映像（図では２番目の録画映像）が選択されていることを示している。録画映像を選択し「決定」ボタンを選択することで、図２０に示す録画映像の詳細情報画面に移動し、後は、前述のダウンロードランキングと同様の処理にて、録画映像のダウンロードが行われる。
【００８６】
以上のように、公開サーバ装置としての携帯サイト１０２で行われた録画映像のダウンロードに応じて、ホスト装置１００ではダウンロード情報が収集されることとなる。この収集したダウンロード情報に基づいて店舗還元情報が集計される。
【００８７】
図２１、図２２は、この集計処理を説明するための図であり、図２１には、各録画モードの録画映像に対する単価を示した料金テーブル、図２２は、店舗還元情報としてのキャッシュバック明細書を示した図である。本実施形態では、図２１に示すように各録画モード別に録画映像に対する単価を設定可能となっている。
【００８８】
本実施形態の集計処理では、図１２に示すアップロード情報、図１３に示す店舗テーブル、図１５に示すダウンロード情報、図２１に示す料金テーブルに基づいて、各店舗に対する店舗還元情報が集計される。まず、収集したダウンロード情報に基づき、ある期間においてダウンロードされた録画映像の集計を行う。次に、店舗テーブルに基づいて、ダウンロードされた録画映像を店舗別、録画モード別に集計する。このような集計により、図２２に示す各カラオケ店舗における、ある期間毎の録画モード別ダウンロード件数が集計できる。
【００８９】
この各録画モード別ダウンロード件数に対し、図２１に示す料金テーブルを適用することで、各店舗毎のダウンロード総額が算出される。このダウンロード総額に店舗テーブルに記述される還元率を乗算することで、各店舗への店舗還元情報が算出され、図２２に示すような店舗還元情報に関する明細書が作成可能となる。
【００９０】
本実施形態では、各店舗への店舗還元情報を金銭にて算出することとしたが、各種サービス、商品と引換可能、あるいは、値引きに利用できるポイントとして算出するようにしてもよい。また、ダウンロード総額を算出することなく、ダウンロード件数のみに応じた店舗還元情報としてもよい。
【００９１】
作成された明細書は、店舗テーブルに記述された各店舗毎の出力先に出力処理される。出力先としては、例えば、郵送、メール、ＦＡＸなどがあげられ、郵送の場合には、ホスト装置１００に設けられたプリンタから、店舗テーブルに記述される店舗住所に対する郵送物として印刷が行われ、メールの場合には、同店舗のメールアドレスに対するメール送信が、ＦＡＸの場合には、同店舗のＦＡＸ番号にファクスが送信されることとなる。
【００９２】
以上のような処理で店舗毎の店舗還元情報が集計出力されることとなるが、このようにホスト装置１００にて店舗還元情報を集計出力することで、録画装置４００を利用した録画に対する対価を算出することが容易となる。以上、各店舗に対する店舗還元情報の集計出力について説明したが、同様の処理を録画映像を作成、アップロードした利用者について適用することで、利用者側における録画映像に対する対価の取得が容易となる。
【００９３】
図２３は、利用者還元情報としてのポイント明細書を示した図であり、各利用者毎に所定期間内における録画映像のダウンロード件数、並びに、ポイントが記載されている。本実施形態では、利用者還元情報として、各種サービス、商品と引換可能、あるいは、値引きに利用できるポイントを採用することとしたが、金銭にて還元するようにしても構わない。このように作成された利用者毎のポイント明細書についても、店舗毎のキャッシュバック明細書と同様、店舗テーブルに予め設定されている出力先に出力処理してもよい。
【００９４】
以上、本発明の種々の実施形態について説明したが、本発明はこれらの実施形態のみに限られるものではなく、それぞれの実施形態の構成を適宜組み合わせて構成した実施形態も本発明の範疇となるものである。
【図面の簡単な説明】
【００９５】
【図１】本発明の実施形態に係るカラオケシステムを示した図。
【図２】本発明の実施形態に係るコマンダを示した図。
【図３】本発明の実施形態に係る録画装置を示した図。
【図４】本発明の実施形態に係る録画モード選択画面を示した図。
【図５】本発明の実施形態に係る各録画モードでの利用する映像、音声を示した図。
【図６】本発明の実施形態に係る待機中（自分撮モード）画面を示した図。
【図７】本発明の実施形態に係る録画処理における録画装置、コマンダの処理を示した図。
【図８】本発明の実施形態に係る録画、変換、出力処理のタイムチャートを示した図。
【図９】本発明の実施形態に係る出力処理のフローを示した図。
【図１０】本発明の実施形態に係る動画選択画面を示した図。
【図１１】本発明の実施形態に係る携帯ダウンロード処理などを示した図。
【図１２】本発明の実施形態に係るアップロード情報を示した図。
【図１３】本発明の実施形態に係る店舗テーブルを示した図。
【図１４】本発明の実施形態に係る利用者テーブルを示した図。
【図１５】本発明の実施形態に係るダウンロード情報を示した図。
【図１６】本発明の実施形態に係る携帯情報端末画面を示した図。
【図１７】本発明の実施形態に係る携帯情報端末画面を示した図。
【図１８】本発明の実施形態に係る携帯情報端末画面を示した図。
【図１９】本発明の実施形態に係る携帯情報端末画面を示した図。
【図２０】本発明の実施形態に係る携帯情報端末画面を示した図。
【図２１】本発明の実施形態に係る料金テーブルを示した図。
【図２２】本発明の実施形態に係るキャッシュバック明細書を示した図。
【図２３】本発明の実施形態に係るポイント明細書を示した図。
【符号の説明】
【００９６】
５０…通信網、６０…ルータ、７０…無線アクセスポイント、１００…ホスト装置、１０１…動画投稿サイト、１０２…携帯サイト（公開サーバ装置）、２００…リモコン装置、３００…コマンダ（カラオケ演奏装置）、３０１…コマンダ制御手段、３０２…コマンダ通信手段、３０３…フロントパネル表示手段、３０４…表示制御手段、３０５…コマンダ記憶手段、３０６…コマンダ入力手段、３０７…コマンダインタフェース、３０８…音源、３０９…ミキシング手段、４００…録画装置、４０１…制御手段、４０２…通信手段、４０３…表示制御手段、４０４…記憶手段、４０５…ＤＶＤドライブ、４０６…ＵＳＢインタフェース、４０７…取込手段、５０１…アンプ、５０２…スピーカ、５０３…マイクロフォン、５０４…ディスプレイ、５０５…表示手段、５０６…タッチ式センサ、５０７…タッチパネル、５０８…カメラ
【図１】
2010008870.tif 000003
【図２】
2010008870.tif 000004
【図３】
2010008870.tif 000005
【図４】
2010008870.tif 000006
【図５】
2010008870.tif 000007
【図６】
2010008870.tif 000008
【図７】
2010008870.tif 000009
【図８】
2010008870.tif 000010
【図９】
2010008870.tif 000011
【図１０】
2010008870.tif 000012
【図１１】
2010008870.tif 000013
【図１２】
2010008870.tif 000014
【図１３】
2010008870.tif 000015
【図１４】
2010008870.tif 000016
【図１５】
2010008870.tif 000017
【図１６】
2010008870.tif 000018
【図１７】
2010008870.tif 000019
【図１８】
2010008870.tif 000020
【図１９】
2010008870.tif 000021
【図２０】
2010008870.tif 000022
【図２１】
2010008870.tif 000023
【図２２】
2010008870.tif 000024
【図２３】
2010008870.tif 000025